(57)【特許請求の範囲】
【請求項１】
動力源からの回転運動を直接または間接的に伝達する駆動軸または上部攪拌翼軸と、
前記駆動軸または上部攪拌翼軸の下端部に軸を介して回転可能に枢着された車輪と、
上部に前記車輪が上下方向に転動可能に当接する案内面を有し、かつ下部に食材を攪拌する攪拌翼を備え、前記車輪の軸と前記車輪を介して前記駆動軸または上部攪拌翼軸の回転駆動力が伝達されることによって、前記駆動軸または上部攪拌翼軸の回転と共に連動する攪拌翼軸と、
前記駆動軸または上部攪拌翼軸と前記攪拌翼軸との間に配設され、前記攪拌翼を常に加熱釜の内面に付勢させる弾性部材と
を備えたことを特徴とする攪拌機の攪拌翼軸装置。
【請求項２】
前記駆動軸または上部攪拌翼軸は、動力源からの回転運動を伝達する太陽歯車の外周に噛合う遊星歯車の中心に位置していることを特徴とする請求項１に記載の攪拌機の攪拌翼軸装置。
【請求項３】
前記車輪は、前記駆動軸または上部攪拌翼軸の前記下部の側面と対応する前記車輪側面とを互いに離間させる突出座を有することを特徴とする請求項１〜２のいずれかに記載の攪拌機の攪拌翼軸装置。
【請求項４】
前記駆動軸または上部攪拌翼軸が嵌合する前記攪拌翼軸の上端開口部には、中央に前記駆動軸または上部攪拌翼軸が摺動可能に貫通する貫通孔を備えたブッシュを設け、前記開口部を閉塞したことを特徴とする請求項１〜３のいずれかに記載の攪拌機の攪拌翼軸装置。
【請求項５】
前記車輪は、形状がほぼ円筒状であり、錫青銅，燐青銅，ステンレスまたは無給油の潤滑素材からなる材質によって形成したものであることを特徴とする請求項１〜４のいずれかに記載の攪拌機の攪拌翼軸装置。
【発明の詳細な説明】
【０００１】
【発明の属する技術分野】
この発明は、製菓に用いる練りあん等の内材，あるいは一般食品であるクリーム，ソースあるいはルウなどの食材調理において食材を加熱釜で加熱しながら攪拌する場合に用いる攪拌機に係り、特に攪拌機の攪拌翼軸装置の改良に関する。
【０００２】
【従来の技術】
従来、前記のような攪拌機における攪拌翼軸装置としての攪拌翼軸として、例えば、本願出願人の考案に係る実公昭３７―１３９８９号がすでに提案されている。
すなわち、図１０〜図１１に示すように、駆動軸１の先端にラジアルベアリング２、２を前記駆動軸１に対して直交させた軸３の左，右端部の突出部にそれぞれ枢着させることで一体となし、これらが丁度嵌合する断面を有する中空部５ａを一端に持つ攪拌翼軸５の他端に攪拌翼６，６を軸７にて枢着し、攪拌翼６，６は軸７を中心として揺動自在となっている。
また、駆動軸１の回転力は、前記ラジアルベアリング２，２を介して攪拌翼軸５へ伝達されるが駆動軸１と攪拌翼軸５との間にはスプリング８が介在されており、前記攪拌翼６，６を常時下方の加熱釜９の内面９ａに押し付けている。
さらに、前記攪拌翼６，６の下面の曲率は前記加熱釜９の内面９ａの曲率とほぼ合わせてあり、攪拌翼６，６は加熱釜９の内面９ａに摺動しながら回転するようになっている。
【０００３】
このような従来の攪拌機における攪拌翼軸装置の攪拌翼軸５の構成では、攪拌翼軸５の上下摺動が相当にはげしくとも駆動軸１と攪拌翼軸５との摩擦面にそれぞれラジアルベアリング２，２を介在させた構成であるため摩擦のため摺動困難となることがなく、微弱な変化に対してもスプリング８の力によって、攪拌翼６，６を常に加熱釜９内面９ａに押し付けて摺動回転し食材を攪拌する。
【０００４】
【発明が解決しようとする課題】
しかしながら、前述した従来の攪拌機における攪拌翼軸装置の攪拌翼軸において、駆動軸１と一体となって攪拌翼軸５の中空部５ａ内面に形成された摩擦面を摺動するように介在させたラジアルベアリング２，２は、本来軸受の中心軸に垂直に交わる方向に働く荷重を受ける機能を目的とする軸受であり、上下方向の摺動を助ける軸受としてはその機能を充分発揮できない問題点があった。
特に、駆動軸１と攪拌翼軸５との間の回動力の伝達にも使用されているため、力の伝達に際してラジアルベアリング２の外周面２ｄであるアウターレースと攪拌翼軸５の中空部５ａ内面の摩擦面に線接触されると共に、アウターレースの側面に当接して前記回転力を伝達しているために前記ラジアルベアリング２が破損し易く、部品交換などの保守作業が短期間に頻繁に要求さるなどの問題点を有し、さらに、攪拌翼軸５内に嵌合摺動する駆動軸１の摺動面に傷が付き易く、かつラジアルベアリング２，２の部品価格が高価であるため攪拌機全体の価格を高くするという問題点がある。
【０００５】
この発明は、前述した問題点を解決して、 動力源からの回転運動を直接または間接的に伝達する駆動軸または上部攪拌翼軸の下部に回転可能に車輪を枢着し、前記車輪を攪拌翼軸内の案内面に沿って転動させる構成とすることで、前記駆動軸または上攪拌軸と攪拌翼軸との上下方向の移動をスムースに嵌合移動させると共に、安価な部品でありながら長期の使用に耐えて破損しにくい耐久性の優れた攪拌機の攪拌翼軸装置を提供することを目的とする。
【０００６】
【課題を解決するための手段】
請求項１の発明は、動力源からの回転運動を直接または間接的に伝達する駆動軸または上部攪拌翼軸と、前記駆動軸または上部攪拌翼軸の下端部に軸を介して回転可能に枢着された車輪と、上部に前記車輪が上下方向に転動可能に当接する案内面を有し、かつ下部に食材を攪拌する攪拌翼を備え、前記車輪の軸と前記車輪を介して前記駆動軸または上部攪拌翼軸の回転駆動力が伝達されることによって、前記駆動軸または上部攪拌翼軸の回転と共に連動する攪拌翼軸と、前記駆動軸または上部攪拌翼軸と前記攪拌翼軸との間に配設され、前記攪拌翼を常に加熱釜の内面に付勢させる弾性部材とを備えたことを特徴とする。
【０００８】
請求項２の発明は、前記駆動軸または上部攪拌翼軸は、動力源からの回転運動を伝達する太陽歯車の外周に噛合う遊星歯車の中心に位置していることを特徴とする。
【０００９】
請求項３の発明は、前記車輪は、前記駆動軸または上部攪拌翼軸の前記下部の側面と対応する前記車輪側面とを互いに離間させる突出座を有することを特徴とする。
【００１０】
請求項４の発明は、前記駆動軸または上部攪拌翼軸が嵌合する前記攪拌翼軸の上端開口部には、中央に前記駆動軸または上部攪拌翼軸が摺動可能に貫通する貫通孔を備えたブッシュを設け、前記開口部を閉塞したことを特徴とする。
【００１１】
請求項５の発明は、前記車輪は、形状がほぼ円筒状であり、錫青銅，燐青銅，ステンレスまたは無給油の潤滑素材からなる材質によって形成したものであることを特徴とする。
【００１２】
以下、この発明の攪拌機の攪拌翼軸装置の第１実施形態につき、図1〜図２を参照して説明する。
図１はこの発明の第１実施形態に係る攪拌機の攪拌翼軸装置の要部縦断面図、図２は図１のＡ−Ａ線に沿う断面図である。
【００１３】
図１において、１０は駆動軸であって、図示しない電動機などの動力源からの回転運動を伝達する太陽歯車の外周に噛合う遊星歯車の軸中心に位置させることによって直接または間接的に駆動力が伝達され、前記駆動力を軸１５と車輪１４を介して攪拌翼軸１１に伝達し、該攪拌翼軸１１の下部に枢支軸１２を介して枢着した攪拌翼１３，１３とを共に回転駆動する。
【００１４】
前記駆動軸１０の下端部１０ａは軸中心部１０ｂを残し左右両端を切欠いて形成した突出部１０ｃを有し、該突出部１０ｃの水平方向中心部には左右に貫通する軸孔１０ｄを設けたものである。１４，１４は錫青銅，燐青銅，ステンレスまたは無給油の潤滑素材等の材質よって一体的に形成したほぼ円筒状の車輪で、前記車輪１４，１４は、前記駆動軸１０の下端突出部１０ｃの両側面１０ｅ，１０ｆに突出させて前記軸孔１０ｄに貫通した軸１５の両端部１５ａ、１５ｂにそれぞれ回転可能に枢着されている。
【００１５】
この場合、前記車輪１４，１４が回転するのであれば、車輪１４と軸１５の間または軸１５と前記駆動軸１０の間の少なくとも１個所が回転するようになっていると良い。
また前記車輪１４，１４のそれぞれの内側面１４ａ，１４ａには、前記突出部１０ｃに対応する両側面１０ｅ，１０ｆとを互いに離間させる隙間を形成するために突出座１４ｂ，１４ｂが形成されている。この隙間は、０.５〜２mmの範囲離間させることが好ましい。
【００１６】
前記攪拌翼軸１１は、食材を攪拌する攪拌翼１３，１３を装着した下部に小径部１１ａと段差１１ｂを持って連続する上部に大径部１１ｅを形成し、その大径部１１ｅには上端に開口部１１ｃを有し横断面が矩形状で底に下スプリング支持座である底部１１ｖを有する中空部１１ｄが形成され、前記中空部１１ｄには、前記駆動軸１０の下方の一部と前記軸１５および前記車輪１４，１４とが一体となって嵌合される。そして、前記車輪１４，１４の外周面１４ｄ，１４ｄが前記中空部１１ｄの案内面１１ｋである内壁面に摺接して上下方向に転動可能となっている。
即ち、前記中空部１１ｄには、車輪１４，１４の案内面１１ｋが形成され、前記案内面１１ｋは、前記中空部１１ｄの内壁面を横断面で矩形状に形成して構成されると共に、前記車輪１４，１４が上下方向である直線方向に転動可能に移動できるようになっている。尚前記車輪１４，１４が当接する案内面１１ｋには、前記車輪１４，１４の材質より固い材料を配設することも可能である。
【００１７】
さらに前記横断面が矩形状の中空部１１ｄには、上部が前記駆動軸１０の突出部１０ｃの下端面に形成した上スプリング支持座１０ｖに当接し、下部が前記攪拌翼軸１１の中空部１１ｄの底部の下スプリング支持座１１ｖに係止された弾性部材としてのコイルスプリング１６とを備え、このスプリング１６は前記攪拌翼１３，１３の下端面を加熱釜１７の内面１７ａに常時圧接するように付勢する。
【００１８】
１８は前記攪拌翼軸１１の上端開口部１１ｃを塞ぐように螺合，ビス止めなどの固定手段によって配設された金属製あるいは合成樹脂製、例えばナイロンなどで形成されたブッシュで、その中央部には前記駆動軸１０が摺動可能に貫通する貫通孔１８ａが設けられると共に、前記貫通孔１８ａに沿って下方に延びる円筒状のガイド１８ｂが設けられ、前記中空部１１ｄ内に嵌合配設された前記各車輪１４，１４へ供給される潤滑油が飛散したり、外部から異物が入り込むのを防止する。
【００１９】
１９ａ，１９ａは、前記前記車輪１４，１４にグリスなどの潤滑油を供給するために、また回転運動の伝達に際して車輪１４，１４が変形した場合、攪拌翼軸１１に接触しないように前記各車輪１４，１４の外側面１４ｃ，１４ｃとそれぞれ対応する前記攪拌翼軸１１の中空部１１ｄの内壁面との間に設けた隙間である。
但し、前記車輪１４，１４の素材として前記無給油の潤滑素材を使用した場合には、当然給油の必要がないことは勿論である。
【００２０】
以上のように構成された第１実施形態の攪拌機の攪拌翼軸装置の動作について説明する。
加熱釜１７内に加熱攪拌しようとする餡などの食材を投入し、ガス等の加熱手段によって加熱釜１７を加熱しつつ、攪拌機の図示しない電動機を駆動させ、その駆動力を回転機構を介して駆動軸１０に伝達する。前記駆動軸１０に伝達された駆動力は、攪拌翼軸１１に形成された矩形状中空部１１ｄに嵌合された駆動軸１０、車輪１４，１４の外周面１４ｄを介して攪拌翼軸１１に伝達され、攪拌翼軸１１の下部小径部１１ａの下端に枢着された攪拌翼１３，１３を加熱釜１７の内面１７ａに常時圧接するように付勢しながら内面１７ａに沿って回転し、前記加熱釜１７内の食材などの被攪拌物を加熱しながら攪拌混合する。
この際、前記車輪１４，１４は、攪拌翼軸１１の中空部１１ｄの案内面１１ｋに沿って上下方向に転動可能となっている。
また、駆動軸１０の回転運動は、図２の矢印Ｘ方向に示すように、車輪１４，１４の外周面１４ｄや外側面１４ｃから攪拌翼軸１１に伝えられる。
【００２１】
上記食材の攪拌混合時においては、攪拌翼軸１１の下部に装着された攪拌翼１３，１３は回転移動に伴って食材を乗り越えて攪拌される場合があり、この時攪拌翼１３，１３が上方へ持ち上がりこれに装着された攪拌翼軸１１が上昇移動させられるが、この上方への移動は前記駆動軸１０の下端部に配設した軸１５に回転可能に取付けた車輪１４，１４が攪拌翼軸１１の中空部１１ｄの案内面１１ｋを転動することで、前記上昇移動量を吸収すると共に、コイルスプリング１６によって、攪拌翼軸１１を再度下方に付勢して攪拌翼１３，１３の下端面を加熱釜１７の内面１７ａに圧接させ食材を加熱釜１７の内面１７ａに焦げ付かせることなく、確実に攪拌混合できる。
また、前記加熱釜１７の内面形状と攪拌翼１３の当接面形状が異なることにより、攪拌回転中に両者間に隙間が発生しようとする場合には、攪拌翼１３を加熱釜１７の内面１７ａ側に常に付勢しているため、上記不具合が解消される。
【００２２】
図３〜図４はこの発明の攪拌機の攪拌翼軸装置に係る第２の実施形態を示すものである。
図中２０は、図示しない動力源からの回転運動を伝達する太陽歯車の外周に噛合う遊星歯車の軸中心に位置する駆動軸１０Ａの下端部に固着された連結部材で、該連結部材２０は前記駆動軸１０Ａの外径より大きく形成した放射状の桟材あるいは円形板から構成されてなり、前記連結部材２０の上面中央部が前記駆動軸１０Ａと直交して固着され、かつ下面外周縁部には前記駆動軸１０Ａの軸心に対して各々所定角度α又はβ傾斜させた状態で左右一対の上部攪拌翼軸２１が連結されている。前記上部攪拌翼軸２１は前記駆動軸１０Ａの回転移動と共に連動する構成としたものである。
【００２３】
ここで、連結部材２０と上部攪拌翼軸２１の関係としては、図３に示した構成に替えて、１本又は複数本の上部攪拌翼軸２１を連結部材２０と固着した構成とすることも可能であり、また前記連結部材２０は、固着する上部攪拌翼軸２１に合わせて１本または複数本の放射状の桟材であったり、三角形，正方形，長方形，ひし形の四角形などの多角形状や楕円形状等の平板が考えられる。
【００２４】
さらに前記連結部材２０は、必ずしも前記駆動軸１０Ａの中央位置に合わせて固着する必要がなく偏倚させたり、傾斜させた状態で取り付けてもよく、前記上部攪拌翼軸２１が複数の場合は回転半径を変更させてもよい。
前記それぞれの上部攪拌翼軸２１，２１の下部２１ａには、前述の第１実施形態におけると同構成の車輪１４，１４が取り付けられ、攪拌翼軸１１の大径部１１ｅに形成した横断面矩形状の中空部１１ｄ内に前記上部攪拌翼軸２１と前記軸１５に装着された車輪１４，１４とが一体となって嵌合される。そして、前記車輪１４，１４の外周面１４ｄが上下方向に転動可能な横断面矩形状の中空部１１ｄ内壁面の案内面１１ｋを転動する。
【００２５】
そして、前記攪拌翼軸１１の下部小径部１１ａには、食材を攪拌する攪拌翼１３，１３が装着されると共に、前記上部攪拌翼軸２１の下部２１ａの上スプリング支持座２１ｖと前記攪拌翼軸１１の中空部１１ｄの底部の下スプリング支持座１１ｖとの間にコイルスプリング１６を介在させることで、前記攪拌翼１３，１３の下端を常時加熱釜１７の内面１７ａに付勢させるようにしたもである。
なお、前述した以外の構成は、上述した第１実施形態と同様なので、同一部分には同一符号を付して、その説明は省略する。
【００２６】
以上のように構成された第２実施形態の攪拌機の攪拌翼軸装置の動作について説明する。
この第２実施形態において、第１実施形態と大きく異なる点は、第２実施形態では、上部攪拌翼軸２１は駆動軸１０Ａを中心とした円運動をするが、上部攪拌翼軸２１を中心とする回転運動はしないことである。
特に、上部攪拌翼軸２１は、加熱釜１７の内面１７ａに対する垂直線に対し、常に所定角度α又はβを保ちながら、かつ攪拌翼１３を常時加熱釜１７の内面側に付勢しながら回転運動を行なうようになっている。
また、上部攪拌翼軸２１の駆動力は、図４の矢印Ｙ方向に示すように、車輪１４の外周面１４ｄから攪拌翼軸１１に伝達される。
【００２７】
図５〜図７はこの発明の攪拌機の攪拌翼軸装置に係る第３の実施形態を示すものである。
図中、２１Ａは上部攪拌翼軸で、図示しない電動機などの動力源からの回転運動を伝達する太陽歯車の外周に噛合う遊星歯車を備えた重力方向の垂直線に対して所定の傾斜角度をもつ遊星軸と軸の中心を一致させて、図示しない部材を介して間接的に連結されており、前記上部攪拌翼軸２１Ａの下部２１Ａａには、直交させた軸１５が取り付けられ、前記軸１５の両端部には、回転可能に枢着された車輪１４，１４が配設されている。
【００２８】
１１Ａは前記上部攪拌翼軸２１Ａおよび前記車輪１４，１４が一体的に嵌合される円筒状の攪拌翼軸で、この攪拌翼軸１１Ａの内部には、図６に良く見られるように前記車輪１４，１４が上下方向に転動可能に当接する案内面１１Ｌである左右に前後一対の鉤状レール１１Ｌ１，１１Ｌ２が固着されている。
また、前記攪拌翼軸１１Ａの下部１１Ｃには、枢支軸２２によって回動可能に支持腕２３が取り付けられており、前記支持腕２３の左，右両先端部２３ａ，２３ｂには、図５(Ａ)に良く見られるように、耐熱性の優れたプラスチック製の攪拌翼１３Ａ，１３Ａが取付金具２４によってそれぞれ固定されている。
【００２９】
前記支持腕２３は、その長手方向左，右両先端部２３ａ，２３ｂをそれぞれ前後方向に相互逆向きに折曲し、さらに下方側に向けて垂直に折り曲げて形成して折曲端部２３ｃ，２３ｄが形成されている。そして、前記各折曲端部２３ｃ，２３ｄには、図７に示すように、前記支持腕２３の長手方向の軸線に対し所定角度θ、例えば５〜４５度の範囲の取付け角度、好ましくは２５〜３５度傾斜させた角度の同方向（平行）に向けて、それぞれの攪拌翼１３Ａ，１３Ａが位置決め固定されている。
【００３０】
また、図５(Ｂ)に示すように、前記攪拌翼１３Ａ，１３Ａは、回転移動方向に対して互いに食材当接面が逆向きにそれぞれ前記攪拌翼軸１１Ａの中心に対して角度θ１、好ましくは１５〜２５度ほど傾斜させた状態（攪拌翼１３Ａ，１３Ａの食材当接面が加熱釜底内面に近接する方向）に固定されている。
【００３１】
２４は前記攪拌翼軸１１Ａの上端開口部分に設けた蛇腹であって、潤滑油などの飛散を防止するためのものである。また、１６は弾性部材であるスプリングで、前記上部攪拌翼軸２１Ａに設けた上スプリング支持座２１ｖと案内面１１Ｌ，１１Ｌであるレール１１Ｌ１，１１Ｌ２の上部に形成した下スプリング支持座１１Ａｖとの間にそれぞれ支持され、前記上部攪拌翼軸２１Ａに巻装されたものである。
【００３２】
また、前述した以外の構成は、上述した第１〜第２実施形態と同様なので、同一部分には同一符号を付して、その説明は省略する。なお、上部攪拌翼軸２１Ａと攪拌翼軸１１Ａは対となって、第１実施形態の駆動軸１０と攪拌翼軸１１，第２実施形態の上部攪拌翼軸２１と攪拌翼軸１１とに替えてそれぞれ使用が可能である。
【００３３】
以上のように構成された第３実施形態の攪拌機の攪拌翼軸装置の動作について説明する。
前記第３実施形態によれば、上記食材の攪拌混合時おいては、攪拌翼軸１１Ａの下部に装着された攪拌翼１３Ａ，１３Ａは、前記攪拌翼軸１１Ａの下部１１Ｃに前記加熱釜１７の内面１７ａに沿って回動自在に枢着された支持腕２３の左，右両先端部２３ａ，２３ｂの長手方向左，右先端部をそれぞれ前後方向に相互逆向きに折曲した折曲端部２３ｃ，２３ｄに、図７に示すように、前記支持腕２３の長手方向の軸線に対し所定角度θ、例えば５〜４５度の範囲の取付角度、好ましくは２５〜３５度傾斜させた取付け角度と同方向に平行に向けて取り付けられているので、攪拌翼１３Ａ，１３Ａの回転移動に伴って、食材が攪拌翼１３Ａ，１３Ａの食材当接面を外方に滑りながら移動するため、食材が加熱釜の中心部分に集まることが解消される。
【００３４】
また、前記支持腕２３に装着された前記攪拌翼１３Ａ，１３Ａは、図５(Ｂ)に示すように、回転移動方向に対して互いに逆向きにそれぞれ前記攪拌翼軸１１Ａの軸心に対し角度θ１、好ましくは１５〜２５度程度傾斜させた状態で前記支持腕２３の左右両端に固定されているので、個々に独自の動きが可能であり、加熱釜１７の内面形状が円の一部である円弧状以外の曲面を有する特殊な形状に対しても適応できると共に、前記傾斜させた攪拌翼１３Ａ，１３Ａの加熱釜１７底内面１７ａに対する相対運動は加熱釜１７の中心とする円弧状を回転移動することで、一方の攪拌翼１３Ａが重力の方向に対して最も傾いた状態から１８０度回転する間に次第に起き上がり、重力方向に垂直に近い状態となった時には、他方の攪拌翼１３Ａは、前記攪拌翼１３Ａとは逆に起き上がった状態から最も傾いた状態となって回転するので、加熱釜１７の内面１７ａにおける被攪拌物が集中する中心部では、各攪拌翼１３Ａ，１３Ａのいずれかの攪拌翼が被攪拌物との当接面を重力方向に対し高く増加するため、攪拌翼の上縁を乗り越えて逸脱させる量を極力少なくして被攪拌物を攪拌翼の上縁に向けてすくい上げながら攪拌させることができる。
【００３５】
さらに前記上部攪拌翼軸２１Ａに取付けた弾性部材であるコイルスプリング１６によって、攪拌翼１３Ａ，１３Ａの下端面が常時加熱釜１７の内面１７ａに密着させることができ、食材を釜内面に焦げ付かせることなく、確実に攪拌混合できる。
また、前記車輪１４，１４の案内面１１Ｌ，１１Ｌを横断面Ｌ字状のレール１１Ｌ１，１１Ｌ２とすることで、前記車輪１４，１４が確実に案内面１１Ｌ，ｌｌＬに案内されると共に、前記攪拌翼軸１１Ａの製作が安価にかつ容易となる。図８はこの発明の攪拌機の攪拌翼軸装置に係る第４の実施形態を示すものである。
【００３６】
第４の実施形態においては、攪拌翼軸１１Ｂ内に嵌合挿入される上部攪拌翼軸２１Ｂの下端部２１Ｂａ中央部に車輪１４Ａを挿入する下端解放の凹部２５を形成し、該凹部２５に直交して配設した軸２６に１個の車輪１４Ａを回転可能に取り付けた構成としたものであって、攪拌翼軸１１Ｂ内には前記車輪１４Ａの外周面が当接する案内面１１Ｍ，１１Ｍである水平断面コ字状の一対のレール１１Ｍ１、１１Ｍ２を固着したものである。
【００３７】
また、前記車輪１４Ａの両面には、上部攪拌翼軸２１Ｂの下部の側面２１Ｂｅ，２１Ｂｆと対応する車輪１４Ａの側面とを互いに離間させる突出座１４Ａｂを有している。
さらにまた、前記以外の構成は、上述の第３実施形態と同一部分には同一符号を付してその説明を省略する。なお、上部攪拌翼軸２１Ｂと攪拌翼軸１１Ｂは対となって、第１実施形態の駆動軸１０と攪拌翼軸１１，第２実施形態の上部攪拌翼軸２１と攪拌翼軸１１に替えて使用可能である。
【００３８】
前記実施形態によれば、上述の第３実施形態と比較して車輪１４Ａの数を１個にでき、前記車輪１４Ａの案内面１１Ｍ，１１Ｍを横断面コ字状のレール１１Ｍ１，１１Ｍ２とすることで、前記車輪１４Ａが確実に案内面１１Ｍ，ｌｌＭに案内されると共に、前記攪拌翼軸１１Ａの構成が簡単となり安価に製作できる。
【００３９】
上述の前記第１及び第２実施形態においては、攪拌翼軸１１の下端に回動自在に枢着された攪拌翼１３，１３を直接攪拌翼軸１１の下端に枢着したものを示し第３，第４の実施形態においては、攪拌翼軸１１Ａ，１１Ｂの下端に水平方向に延びる支持腕２３を枢着し、この支持腕２３の両端に攪拌翼１３Ａ，１３Ａをそれぞれ回動可能に取付けたものを示し、それぞれ攪拌翼１３，１３及び１３Ａ，１３Ａを左右一対として対称に配設した実施形態について説明したが、前記支持腕２３をいずれか一方のみに配設してもよく、一方の支持腕２３にのみ攪拌翼１３，１３Ａを取付けた構成としても食材を充分攪拌できることは勿論であり、第１〜第４実施形態において、攪拌翼１３，１３Ａを相互にどちらの実施形態に使用してもかまわない。
【００４０】
さらにまた、攪拌翼軸１１，１１Ａ，１１Ｂの下端に回動自在に枢着された同形状の大きさの２枚の攪拌翼１３，１３及び１３Ａ，１３Ａの形状を互いに異なった大きさのものとすることも可能であり、ほぼ同様の攪拌動作が期待できることは勿論である。
【００４１】
さらにまた、前記実施形態では駆動軸１０，１０Ａを加熱釜１７の内面１７ａに対して垂直にまたは傾斜させて更に連結部材２０を配設したものについて説明したが、これに限定されることなく、電動機からの駆動力を図示しない太陽歯車の外周に噛合した遊星歯車を有する駆動軸１０，１０Ａを傾斜させた状態で加熱釜１７内部に挿入する構成とすることで、前記駆動軸１０を垂直にして公転と自転または自転させて回転駆動し、攪拌翼軸１１，１１Ａ，１１Ｂの下部に装着した攪拌翼１３，１３を公転と自転、または自転させながら移動させ、更に、前記駆動軸１０を傾斜させ、または前記駆動軸１０Ａを垂直にして、公転および自転、または自転させて回転運動し、攪拌翼軸１１，１１Ａ，１１Ｂの下部に装着した攪拌翼１３，１３、１３Ａ，１３Ａを、公転と自転、あるいは自転または公転させながら移動させ、加熱釜１７内の食材を加熱しながら攪拌混合する機構の攪拌機に適用もできる。
【００４２】
【発明の効果】
以上のように、本発明に係る攪拌機の攪拌翼軸装置は、動力源からの回転運動を直接または間接的に伝達する駆動軸または上部攪拌翼軸と、前記駆動軸または上部攪拌翼軸の下端部に軸を介して回転可能に枢着された車輪と、上部に前記車輪が上下方向に転動可能に当接する案内面を有し、かつ下部に食材を攪拌する攪拌翼を備え、前記車輪の軸と前記車輪を介して前記駆動軸または上部攪拌翼軸の回転駆動力が伝達されることによって、前記駆動軸または上部攪拌翼軸の回転と共に連動する攪拌翼軸と、前記駆動軸または上部攪拌翼軸と前記攪拌翼軸との間に配設され、前記攪拌翼を常に加熱釜の内面に付勢させる弾性部材とを備えた構成としたので、以下のような効果がある。
【００４３】
すなわち、攪拌翼の回転移動に伴って駆動軸または攪拌翼軸の下部に枢着した車輪を介して前記攪拌翼軸の案内面を上下方向に滑りながら転がり移動するため、攪拌翼軸の上下方向の移動が極めてスムースであり、加熱釜内の食材を確実に攪拌混合できると共に、従来のラジアルベアリングと異なって破損などの不具合を解消できることで、耐久性の優れた保守点検が容易でかつ安価な攪拌機の攪拌翼軸装置を提供できる効果がある。
【００４４】
また、駆動軸または上部攪拌翼軸の下部に取付けた車輪に突出座を設けた構成とすることで、駆動軸または上部攪拌翼軸に対する攪拌翼軸の上下方向の移動が安定し、過剰な摩擦が解消できると共に、攪拌翼軸の上端開口部にブッシュを配設したことで、駆動軸または上部攪拌翼軸の外周面に形成される損傷をなくすことができ、さらに前記車輪に供給された潤滑油の飛散を防止することができ食品加工においては極めて衛生的である。
【図面の簡単な説明】
【図１】この発明の第１実施形態に係る攪拌機の攪拌翼軸装置の要部縦断面図。
【図２】図１のＡ−Ａ線横断面図。
【図３】この発明の第２実施形態に係る攪拌機の攪拌翼軸装置の要部縦断面図。
【図４】図３のＢ−Ｂ線横断面図。
【図５】 (Ａ)及び(Ｂ)は、この発明の第３実施形態に係る攪拌機の攪拌翼軸装置の要部縦断正面図及び側面図。
【図６】この発明の第３実施形態に係る攪拌機の攪拌翼軸装置のＣ−Ｃ線に沿う要部横断面図。
【図７】この発明の第３実施形態に係る攪拌機の攪拌翼軸装置における攪拌翼の概略平面図。
【図８】この発明の第４実施形態に係る攪拌機の攪拌翼軸装置の要部縦断面図。
【図９】この発明の第４実施形態に係る攪拌機の攪拌翼軸装置のＤ−Ｄ線に沿う要部横断面図。
【図１０】従来の攪拌機の攪拌翼軸に係る要部縦断面図。
【図１１】図１０のＥ−Ｅ線横断面図。
【符号の説明】
１０，１０Ａ           駆動軸
１０ａ                 下端部
１０ｃ                 突出部
１０ｄ                 軸孔
１０ｅ，１０ｆ         側面
１０ｖ                 上スプリング支持座
１１，１１Ａ           攪拌翼軸
１１ａ                 小径部
１１ｃ                 開口部
１１ｄ                 中空部
１１ｅ                 大径部
１１ｋ，１１Ｌ，１１Ｍ 案内面
１１ｖ，               底部 （下スプリング支持座 ）
１２                   枢支軸
１３，１３Ａ           攪拌翼
１４，１４，１４Ａ     車輪
１４ａ，１４ａ         内側面
１４ｂ，１４ｂ         突出座
１４ｃ，１４ｃ         外側面
１５，２６             軸
１６                   コイルスプリング（弾性部材）
１７                   加熱釜
１８                   ブッシュ
２０                   連結部材
２１，２１Ａ，２１Ｂ   上部攪拌翼軸
２１ｖ                 上スプリング支持座
【図１】
0004089765.tif 000002
【図２】
0004089765.tif 000003
【図３】
0004089765.tif 000004
【図４】
0004089765.tif 000005
【図５】
0004089765.tif 000006
【図６】
0004089765.tif 000007
【図７】
0004089765.tif 000008
【図８】
0004089765.tif 000009
【図９】
0004089765.tif 000010
【図１０】
0004089765.tif 000011
【図１１】
0004089765.tif 000012